(57)【要約】【課題】組付部品を削減するとともに、鏡筒に組み込むプラスチックレンズの位置決め作業を簡略化できるようにする。【解決手段】鏡筒２を二分割した分割鏡筒２Ａ，２Ｂで構成し、各分割鏡筒２Ａ，２Ｂの内周面にレンズ位置決め部１４，１５とフィルタ位置決め部２１を形成する。一方の分割鏡筒２Ａのレンズ位置決め部１４，１５に第１及び第２のプラスチックレンズ４，７を嵌合させ、フィルタ位置決め部２１に赤外線フィルタ２０を嵌合させた状態で、分割鏡筒２Ａと他方の分割鏡筒２Ｂを重ね合わせ、各分割鏡筒２Ａ，２Ｂの位置決め凹部１９と位置決め突起１８を凹凸嵌合する。これにより、環状の鏡筒２を連結固定し、鏡筒２内に第１，第２のプラスチックレンズ４，５と赤外線フィルタ２０とを相互に位置決めした状態で組み付ける。【選択図】図１
2011221244.tif 000002
【特許請求の範囲】
【請求項１】
物体側に採光用の開口窓を有して像側を開口した鏡筒と、この鏡筒内に収納配置する複数のレンズとを備え、前記鏡筒を径方向に分割した複数の分割鏡筒で構成し、その各分割鏡筒の内周面にそれぞれ前記各レンズを光軸方向及び径方向に位置決めするレンズ位置決め部と、前記各レンズの絞りとなる遮光壁部を一体形成したことを特徴とするレンズ組立体。
【請求項２】
前記各分割鏡筒の重ね合わせ面に凹凸嵌合する複数の位置決め突起と複数の位置決め凹部とをそれぞれ形成したことを特徴とする請求項１記載のレンズ組立体。
【請求項３】
前記各レンズが外周部にそれぞれフランジ部を有するとともに、このフランジ部の外周面からさらに径方向に突出する複数の係合腕部を形成し、前記各分割鏡筒の内周面には、前記位置決め部として前記フランジ部と嵌合する嵌合溝と、前記係合腕部と嵌合する嵌合凹部とを形成したことを特徴とする請求項１又は２記載のレンズ組立体。
【請求項４】
前記鏡筒内に組み付けられる最下段レンズの像側に赤外線フィルタを備え、この赤外線フィルタのフィルタ位置決め部を前記各分割鏡筒の内周面に形成したことを特徴とする請求項１〜３の何れか１項に記載のレンズ組立体。
【請求項５】
径方向に分割した複数の分割鏡筒で構成され、物体側に採光用の開口窓を有して像側を開口した鏡筒と、この鏡筒内に収納配置する複数のレンズと、前記各分割鏡筒の内周面にそれぞれ形成されるレンズ位置決め部と、前記各レンズの絞りとして前記各分割鏡筒の内周面にそれぞれ一体形成される複数の遮光壁部と、前記各分割鏡筒の重ね合わせ面に位置して相互に凹凸嵌合する複数の位置決め突起と複数の位置決め凹部とを備え、前記一方の分割鏡筒に形成する前記レンズ位置決め部に前記各レンズの外周部に形成するフランジ部を嵌合させて位置決めし、その分割鏡筒に位置決め保持した各レンズのフランジ部に他方の分割鏡筒の位置決め部を嵌め入れながら各分割鏡筒同士を重ね合わせ、その各分割鏡筒に形成する前記位置決め突起と位置決め凹部を凹凸嵌合させて各分割鏡筒を連結して環状の鏡筒とし、この鏡筒内に前記各レンズを光軸方向と径方向に位置決め保持して収納固定したこと特徴とするレンズの組立方法。
【発明の詳細な説明】
【技術分野】
【０００１】
本発明は、携帯電話、ＰＤＡ（Ｐｅｒｓｏｎａｌ  Ｄｉｇｉｔａｌ  Ａｓｓｉｓｔａｎｃｅ）等の小型で薄型の電子機器に用いられる小型撮像装置に使用される光学系レンズのレンズ組立体及びそのレンズの組立方法、特に光学的または物理的に向き合う互いのレンズ間の位置関係を決定するレンズ組立体及びそのレンズの組立方法に関する。
【背景技術】
【０００２】
近年、撮像装置を備えた携帯端末の市場の拡大に伴い、この撮像装置には高画素数で小型の固体撮像素子が搭載されるようになった。このような撮像素子の小型化・高画素化に対応し、例えば、特許文献１，２で示すように、複数枚のレンズで構成した撮像レンズが一般化している。
【０００３】
特許文献１で示す撮像レンズは、１枚のプラスチックレンズと１枚のガラスレンズと、これらのレンズを組み込む鏡筒とを備え、プラスチックレンズとガラスレンズとが接触するレンズの周辺領域を同一曲率又は同一テーパ面とし、各レンズを鏡枠に組み込む際、最初のプラスチックレンズの接触部と鏡筒の受け面とを当接させて鏡筒と上段のプラスチックレンズとを位置決めした状態で、ガラスレンズを鏡筒の内周面に嵌合させながらガラスレンズをプラスチックレンズに押し当てて光軸方向に加圧することによって、鏡筒の受け面とガラスレンズとでプラスチックレンズを挟み付け、各レンズの周辺領域に形成する同一曲率又は同傾斜のテーパ面の嵌合によって各レンズの光軸を一致させるように構成している。
【０００４】
特許文献１で開示される撮像レンズは、ガラスレンズとプラスチックレンズの異質材料レンズを組み合わせており、それぞれのレンズの線膨張係数が異なるため環境温度変化などによってレンズの接触部において擦れてレンズの損傷や割れなどが生じる恐れがある。このため、近年、携帯電話などに用いられる光学系レンズとして鏡筒に組み込まれるレンズは、プラスチックレンズで、成形するのが一般的である。このような、鏡筒に組み込まれる４枚のレンズを全てプラスチックレンズで構成する場合、例えば、特許文献２で示すように、プラスチックレンズの外径を鏡筒の内径より僅かに小さく形成して、鏡筒との間の径方向のクリアランスを保って鏡筒に挿入し、鏡筒に挿入したプラスチックレンズを光軸方向に押圧した状態で最下段レンズを接着固定する方法が知られている。
【０００５】
また、レンズ間に絞りとなる遮光板を介在させて鏡筒内に組み込むようにした撮像レンズも知られており、例えば特許文献３には、レンズと遮光板を順次、鏡筒に挿入し、最下段レンズを光軸方向に押圧させて各レンズで遮光板を挟み付けた状態で最下段のレンズを鏡筒にカシメ固定したレンズ組立体が開示されている。
【先行技術文献】
【特許文献】
【０００６】
【特許文献１】特開平９−１１３７８３号公報
【特許文献２】特開２００６−１７８３８８号公報
【特許文献３】特開２０１０−３２９０２号
【発明の概要】
【発明が解決しようとする課題】
【０００７】
携帯電話などに組み込まれる撮像レンズにおいて、鏡筒内に複数のプラスチックレンズを組み込む場合、各レンズの光軸を合わせて調芯する必要があるため、特許文献１や特許文献２のようにレンズの周辺領域にテーパ面や円錐面を形成する必要があり、プラスチックレンズの成形加工が複雑となり、また、特許文献３のように、各プラスチックレンズ間に絞りとなる遮光板を介在する場合、鏡筒への組付部品点数も増加し、特に、近年の高画素化が進む撮像レンズにおいては、鏡筒に組み込まれるレンズの枚数も増える傾向にあるから、鏡筒内へ組み付ける部品点数が増大し、効率的な組付作業が行えない、という課題を有している。
【０００８】
本発明は上述した問題点に鑑みてなされたものであり、構造の簡素化が可能であるとともに、簡単でしかも効率的な組み付け作業が可能で、しかも組付精度にも優れたレンズ組立体及びそのレンズの組立方法を提供することを目的とする。
【課題を解決するための手段】
【０００９】
請求項１のレンズ組立体は、物体側に採光用の開口窓を有して像側を開口した鏡筒と、この鏡筒内に収納配置する複数のレンズとを備え、前記鏡筒を径方向に分割した複数の分割鏡筒で構成し、その各分割鏡筒の内周面にそれぞれ前記各レンズを光軸方向及び径方向に位置決めするレンズ位置決め部と、前記各レンズの絞りとなる遮光壁部を一体形成したことを特徴とする。
【００１０】
請求項１のレンズ組立体によれば、一方の分割鏡筒の内周面に形成するレンズ位置決め部にレンズを嵌合させて位置決め保持した状態で各分割鏡筒を連結することによって、環状の鏡筒内に各レンズが光軸方向及び径方向に位置決めされた状態で収納固定される。
【００１１】
請求項２のレンズ組立体は、前記各分割鏡筒の重ね合わせ面に凹凸嵌合する複数の位置決め突起と複数の位置決め凹部とをそれぞれ形成したことを特徴とする。
【００１２】
請求項２のレンズ組立体によれば、各分割鏡筒を連結する際、各分割鏡筒の位置決め突起と複数の位置決め凹部を相互に凹凸嵌合させることによって、各分割鏡筒が相互に連結された環状の鏡筒となり、その鏡筒内に各レンズが光軸方向及び径方向に位置決めされた状態で収納固定される。
【００１３】
請求項３のレンズ組立体は、前記各レンズが外周部にそれぞれフランジ部を有するとともに、このフランジ部の外周面からさらに径方向に突出する複数の係合腕部を形成し、前記各分割鏡筒の内周面には、前記位置決め部として前記フランジ部と嵌合する嵌合溝と、前記係合腕部と嵌合する嵌合凹部とを形成したことを特徴とする。
【００１４】
請求項３のレンズ組立体によれば、鏡筒内の各レンズは、嵌合溝によって光軸方向に位置決めされ、かつ、各レンズの係合腕部と各嵌合凹部との嵌合によって各レンズが径方向に位置決めさる。
【００１５】
請求項４のレンズ組立体は、前記鏡筒内に組み付けられる最下段レンズの像側に赤外線フィルタを備え、この赤外線フィルタのフィルタ位置決め部を前記各分割鏡筒の内周面に形成したことを特徴とする。
【００１６】
請求項４のレンズ組立体によれば、各分割鏡筒を連結することによって、環状の鏡筒内に複数のレンズと赤外線フィルタとが位置決め状態で収納固定される。
【００１７】
請求項５のレンズの組立方法は、径方向に分割した複数の分割鏡筒で構成され、物体側に採光用の開口窓を有して像側を開口した鏡筒と、この鏡筒内に収納配置する複数のレンズと、前記各分割鏡筒の内周面にそれぞれ形成されるレンズ位置決め部と、前記各レンズの絞りとして前記各分割鏡筒の内周面にそれぞれ一体形成される複数の遮光壁部と、前記各分割鏡筒の重ね合わせ面に位置して相互に凹凸嵌合する複数の位置決め突起と複数の位置決め凹部とを備え、前記一方の分割鏡筒に形成する前記レンズ位置決め部に前記各レンズの外周部に形成するフランジ部を嵌合させて位置決めし、その分割鏡筒に位置決め保持した各レンズのフランジ部に他方の分割鏡筒のレンズ位置決め部を嵌め入れながら各分割鏡筒同士を重ね合わせ、その各分割鏡筒に形成する前記位置決め突起と位置決め凹部を凹凸嵌合させて各分割鏡筒を連結して環状の鏡筒とし、この鏡筒内に前記各レンズを光軸方向と径方向に位置決め保持して収納固定したこと特徴とする。
【００１８】
請求項５のレンズの組立方法によれば、一方の分割鏡筒の内周面に形成するレンズ位置決め部にレンズのフランジ部を嵌合させて保持した状態で、そのレンズのフランジ部を他方の分割鏡筒のレンズ位置決め部に嵌合させながら各分割鏡筒の重ね合わせ面に形成する位置決め突起と位置決め凹部とを凹凸嵌合させて各分割鏡筒を連結することによって、環状の鏡筒内に各レンズが光軸方向及び径方向に位置決めされた状態で収納固定される。
【発明の効果】
【００１９】
本発明によれば、予め分割した一つの分割鏡筒にレンズを位置決め保持した状態で、他の分割鏡筒を重ね合わせて各分割鏡筒を相互に連結することによって、環状に連結された鏡筒内にレンズ及び赤外線フィルタの各組付部品を相互に位置決めした状態で収納固定することができるから、レンズ自体に光軸合わせするための複雑な形状とする必要がないため、レンズの形状を単純化でき、レンズの成形加工も容易となる。また、連結した鏡筒内には複数のレンズや赤外線フィルタといった組付部品が相互に位置決めされた状態で収納固定されるので組付部品の位置決め作業も容易であるとともに、各レンズの絞りとなる遮光壁部を各分割鏡筒に一体形成することによって、組付部品点数も削減でき、組付作業の効率化を図ることができる。
【図面の簡単な説明】
【００２０】
【図１】実施例１を示す光学系レンズの分解斜視図である。
【図２】同上、分割鏡筒の斜視図である。
【図３】同上、レンズの斜視図である。
【図４】同上、分割鏡筒にレンズを組み込んだ状態を示す斜視図である。
【図５】同上、分割鏡筒の組み付け状態を示す正面図である。
【図６】同上、鏡筒にレンズを組み付け状態を示す断面図である。
【発明を実施するための最良の形態】
【００２１】
以下、本発明の実施例を図１〜図６を参照して説明する。なお、図１〜図６において物体側は図示上方側、像側は図示下方とする。以下、主に図１の光学系レンズの分解斜視図を参照して本発明の一実施例について説明する。同図において、１は光学系レンズであり、鏡筒２と、この鏡筒２内に収納される２枚の第１及び第２のプラスチックレンズ４，５とで構成されている。
【００２２】
前記鏡筒２は二分割した半円筒状の分割鏡筒２Ａ，２Ｂで構成され、この分割鏡筒２Ａ，２Ｂで構成される前記鏡筒２は全体として像側（下面）を開口した円筒状の周壁部３を成す。また、分割鏡筒２Ａ，２Ｂの周壁部３の上端縁周縁からそれぞれ内方に向かって前絞りとして機能する光軸に対して垂直な平板面３Ａを一体形成するとともに、前記分割鏡筒２Ａ，２Ｂの各周壁部３の外周面には図示しないホルダを螺着するためのネジ部３０を形成している。また、前記分割鏡筒２Ａ，２Ｂの平板面３Ａにはそれぞれ採光用の開口窓１０が形成されるとともに、各分割鏡筒２Ａ，２Ｂの内周面には、前記第１及び第２のプラスチックレンズ４，５を位置決めするレンズ位置決め部１４，１５を形成している。また、本実施例では、最も像側に位置する最下段の第２のプラスチックレンズ５の下部に赤外線フィルタ２０が配置され、その赤外線フィルタ２０を位置決めするフィルタ位置決め部２１が前記レンズ位置決め部１４，１５と共に各分割鏡筒２Ａ，２Ｂのそれぞれの内周面に形成されている。これらレンズ位置決め部１４，１５とフィルタ位置決め部２１との間に位置して第１及び第２のプラスチックレンズ４，５の絞りとして機能する遮光壁部１６，１７を一体形成している。
【００２３】
前記各分割鏡筒２Ａ，２Ｂの重ね合わせ面には複数の位置決め突起１８と複数の位置決め凹部１９とがそれぞれ形成されており、これら位置決め突起１８と位置決め凹部１９とを凹凸嵌合させることによって半割状の分割鏡筒２Ａ，２Ｂを連結して円筒状の周壁部３を形成し、その周壁部３の内周面に形成するレンズ位置決め部１４，１５とフィルタ位置決め部２１に第１及び第２のプラスチックレンズ４，５と赤外線フィルタ２０とをそれぞれ位置決め保持している。
【００２４】
前記第１及び第２のプラスチックレンズ４，５は、図３に示すように、それぞれ物体側（図示上側）又は像側（図示下側）を凸面とするレンズ部４Ａ，５Ａと、そのレンズ部４Ａ，５Ａの最大有効径の外側に位置するフランジ部たるコバ部４Ｂ，５Ｂとから構成されている。また、前記各コバ部４Ｂ，５Ｂの外周部からそれぞれ水平方向に突出する係合腕部６，７を所定間隔毎に形成しており、本実施例においては、４個の係合腕部６，７が９０°毎に形成されている。
【００２５】
次にレンズ位置決め部１４，１５の構成について主に図２を参照して説明する。前記各分割鏡筒２Ａ，２Ｂ内に一体形成する遮光壁部１６、１７は、第２のプラスチックレンズ５のコバ部４Ｂ，５Ｂの厚さとほぼ同じ間隔を有して水平方向（光軸に対して直交方向）に突出し、また、物体側に位置する遮光壁部１６と前記平板面３Ａとの間の空間がそれぞれ第１及び第２のプラスチックレンズ４，５のコバ部４Ｂ，５Ｂの厚さとほぼ同じ間隔となっている。これにより、平板面３Ａと遮光壁部１６との間及び遮光壁部１６と遮光壁部１７との間に前記コバ部４Ｂ，５Ｂの厚さに相当する嵌合溝２４，２５が形成され、この嵌合溝２４，２５の内周面に前記係合腕部６，７と嵌合する嵌合凹部３４，３５を形成し、これら嵌合溝２４，２５と嵌合凹部３４，３５によって第１，第２のプラスチックレンズ４，５を位置決めするレンズ位置決め部１４，１５を構成している。また、像側に位置する遮光壁部１７には、前記赤外線フィルタ２０と嵌合する溝部２６を形成し、この溝部２６によってフィルタ位置決め部２１を構成している。
【００２６】
次の主に図４〜図６を参照して第１及び第２のプラスチックレンズ４，５の組み付け方法について説明する。まず、第１及び第２のプラスチックレンズ４，５は、分割鏡筒２Ａ，２Ｂの何れか一方、例えば図４に示すように分割鏡筒２Ａに組み付けておく。すなわち、分割鏡筒２Ａの内面に形成する嵌合溝２４，２５にそれぞれ第１，第２のプラスチックレンズ４，５のコバ部４Ｂ，５Ｂを挿入するとともに、各コバ部４Ｂ，５Ｂの外周部から突出する係合腕部６，７を嵌合溝２４，２５内に形成した嵌合凹部３４，３５にそれぞれ嵌め入れる。これにより、分割鏡筒２Ａに仮止めした第１及び第２のプラスチックレンズ４，５は、嵌合溝２４，２５によって光軸方向に位置決めされ、かつ、各係合腕部６，７と各嵌合溝２４，２５と係合によって径方向に位置決めされる。ここで、前記第１及び第２のプラスチックレンズ４，５に形成される各係合腕部６，７は、９０°毎に形成され、これを嵌合溝２５，２６に係合させるが、第１及び第２のプラスチックレンズ４，５の成形誤差などによって、分割鏡筒２Ａに第１及び第２のプラスチックレンズ４，５を組み付けた際、第１及び第２のプラスチックレンズ４，５の光軸がズレることがある。この時、一方のプラスチックレンズ、例えば第１のプラスチックレンズ４を径方向に９０°回転させ、嵌合溝２５と係合腕部６との係合位置を変えることによって、第１及び第２のプラスチックレンズ４，５の光軸のズレを解消することができる。すなわち、成形時のプラスチックレンズ４又はプラスチックレンズ５の個体差によって各プラスチックレンズ４，５の光軸がズレ（偏芯）た場合、一方、例えば、第１のプラスチックレンズ４を９０°毎に回転させるように係合腕部６と嵌合溝２５との係合位置を変えることによって、第１及び第２のプラスチックレンズ４，５の光軸が一致、あるいはほぼ一致する地点を見出すことができる。このような、各プラスチックレンズ４，５の光軸のズレは鏡筒２に組み付けた際に、ある程度、判別可能である。したがって、各プラスチックレンズ４，５のマーカー、例えば、各プラスチックレンズ４，５に形成されるゲート跡などを基準として、一旦、第１及び第２のプラスチックレンズ４，５の光軸が一致する係合腕部６，７と各嵌合溝２４，２５の係合位置を定めれば、以後、ゲート跡などを基準として同様に光軸が一致する係合腕部６，７と各嵌合溝２４，２５同士を嵌め合わせれば各プラスチックレンズ４，５の個体差による光軸のズレを調整して各プラスチックレンズ４，５の光軸が一致させて分割鏡筒２Ａに組み付けることができる。また、下段に位置する嵌合溝２５の下部に形成する溝部２６に赤外線フィルタ２０の外周を挿入して分割鏡筒２Ａに赤外線フィルタ２０を位置決め保持しておく。これにより、図４に示すように、分割鏡筒２Ａに第１及び第２のプラスチックレンズ４，５と赤外線フィルタ２０が位置決め保持される。
【００２７】
次に、図５に示すように、分割鏡筒２Ａに組み付けた第１及び第２のプラスチックレンズ４，５のコバ部４Ｂ，５Ｂと赤外線フィルタ２０に他方の分割鏡筒２Ｂに形成する嵌合溝２４，２５と溝部２６を挿入しながら分割鏡筒２Ａの重ね合わせ面に形成する位置決め突起１８と位置決め凹部１９に他方の分割鏡筒２Ｂの重ね合わせ面に形成する位置決め凹部１９と位置決め突起１８をそれぞれ凹凸嵌合させて各分割鏡筒２Ａ，２Ｂを一体的に連結する。これにより、分割鏡筒２Ａ，２Ｂによって環状の周壁部３を備えた鏡筒２が連結固定され、その鏡筒２内において、第１及び第２のプラスチックレンズ４，５と赤外線フィルタ２０が嵌合溝２４，２５，溝部２６によって光軸方向の間隔を保って相互に位置決めされ、かつ、第１及び第２のプラスチックレンズ４，５は、各コバ部４Ｂ，５Ｂに形成する各係合腕部６，７と嵌合溝２４，２５内の嵌合凹部３４，３５との嵌合によって廻り止め状態で保持される。これにより、鏡筒２内において、第１及び第２のプラスチックレンズ４，５が径方向に位置決め保持される。以上により、光学系レンズ１の組み立てが完了する。なお、各分割鏡筒２Ａ，２Ｂに第１及び第２のプラスチックレンズ４，５と赤外線フィルタ２０を組み付ける際と各分割鏡筒２Ａ，２Ｂ同士を組み付ける際、各嵌合溝２４，２５、溝部２６並びに各分割鏡筒２Ａ，２Ｂの重ね合わせ面に接着剤を塗布して各分割鏡筒２Ａ，２Ｂに第１及び第２のプラスチックレンズ４，５、赤外線フィルタ２０を接着固定し、かつ、各分割鏡筒２Ａ，２Ｂ同士を接着固定するようにしてもよい。
【００２８】
以上のように本実施例は、分割した一方の分割鏡筒２Ａ（分割鏡筒２Ｂ）に第１及び第２のプラスチックレンズ４，５を予め位置決め保持した状態で、他方の分割鏡筒２Ｂ（分割鏡筒２Ａ）を重ね合わせてそれぞれの位置決め突起１８と位置決め凹部１９を凹凸嵌合して各分割鏡筒２Ａ，２Ｂを相互に連結することによって、環状の鏡筒２が形成され、その鏡筒２内に第１及び第２のプラスチックレンズ４，５及び赤外線フィルタ２０を相互に位置決めした状態で組み付けることができる。したがって、第１及び第２のプラスチックレンズ４，５自体に光軸合わせするための円錐面を形成する必要はなく、第１及び第２のプラスチックレンズ４，５の形状を単純化することができる。また、一方の分割鏡筒２Ａ（分割鏡筒２Ｂ）に第１，第２のプラスチックレンズ４，５を位置決め保持した状態で各分割鏡筒２Ａ，分割鏡筒２Ｂを連結するだけで、各分割鏡筒２Ａ，２Ｂから成る鏡筒２に第１，第２のプラスチックレンズ４，５と赤外線フィルタ２０とを相互に位置決めした状態で組み付けることができ、鏡筒２への組み付け作業も容易である。また、鏡筒２内の第１，第２のプラスチックレンズ４，５は嵌合溝２４，２５と嵌合凹部３４，３５によって光軸方向並びに光軸方向と直交する径方向に位置決めされた状態で収納され、また、赤外線フィルタ２０は溝部２６によって光軸方向に位置決めされており、これら第１，第２のプラスチックレンズ４，５と赤外線フィルタ２０の位置決め作業も極めて簡単である。さらに、各第１，第２のプラスチックレンズ４，５の絞りとなる遮光壁部１６，１７が各分割鏡筒２Ａ，２Ｂに一体形成されているため、各第１，第２のプラスチックレンズ４，５間に介在する遮光部材の組付作業を省略することができ、組付部品点数の削減により組付作業の効率化を図ることができる。
【００２９】
以上、本発明の実施例について詳述したが、本発明は、前記実施例に限定されるものではなく、本発明の要旨の範囲内で種々の変形実施が可能である。例えば、各レンズの形状やレンズの枚数といった基本的構成は適宜選定すればよい。また、前記実施例では鏡筒２を二分割した例を示したが、それ以上、分割した構造であってもよい。
【符号の説明】
【００３０】
１  光学系レンズ
２  鏡筒
２Ａ，２Ｂ  分割鏡筒
３  周壁部
４，５  プラスチックレンズ
４Ａ，５Ａ  レンズ部
４Ｂ，５Ｂ  コバ部（フランジ部）
６，７  係合腕部
１０  開口窓
１１  開口部
１４，１５  レンズ位置決め部
１６，１７  遮光壁部
１８  位置決め突起
１９  位置決め凹部
２０  赤外線フィルタ
２１  フィルタ位置決め部
２４，２５  嵌合溝
３４，３５  嵌合凹部
【図１】
2011221244.tif 000003
【図２】
2011221244.tif 000004
【図３】
2011221244.tif 000005
【図４】
2011221244.tif 000006
【図５】
2011221244.tif 000007
【図６】
2011221244.tif 000008